(57)【要約】【課題】中間配線盤における作業を正確にかつ使用回線に支障を生じさせることなく行わせることができる中間配線盤作業範囲区分器を提供する。【解決手段】複数本の接続端子２が格子状に配置された中間配線盤１の同じ行の隣接する少なくとも２本の作業対象接続端子２Aに対して作業を行う際に用いられる中間配線盤作業範囲区分器１０であって、中間配線盤１に中間配線盤作業範囲区分器１０を装着した際に複数本の接続端子２のうち作業対象接続端子２Aの周辺の複数本の接続端子２を覆う、かつ、作業対象接続端子２Aを露出するための作業用窓２１ａが設けられたカバー２０と、作業を行う作業対象接続端子２Aの本数に応じて作業用窓２１ａを塞いで作業用窓２１ａの開口部の大きさを調整するための作業範囲調整板３０とを具備する。【選択図】図１
2010193021.tif 000002
【特許請求の範囲】
【請求項１】
複数本の接続端子（２）が格子状に配置された中間配線盤（１）の同じ行の隣接する少なくとも２本の作業対象接続端子（２A）に対して作業を行う際に用いられる中間配線盤作業範囲区分器（１０）であって、
前記中間配線盤に前記中間配線盤作業範囲区分器を装着した際に前記複数本の接続端子のうち前記少なくとも２本の作業対象接続端子の周辺の該複数本の接続端子よりも少ない本数の接続端子を覆う、かつ、該少なくとも２本の作業対象接続端子を露出するための作業用窓（２１ａ）が設けられたカバー（２０）と、
作業を行う前記作業対象接続端子の本数に応じて前記作業用窓を塞いで該作業用窓の開口部の大きさを調整するための作業範囲調整板（３０）と、
を具備することを特徴とする、中間配線盤作業範囲区分器。
【請求項２】
前記カバーが、
前記作業用窓が中央部に設けられた平板状のカバー本体部（２１）と、
該カバー本体部の表面に取り付けられた調整板支持部材（２２）と、
前記カバー本体部の裏面に該カバー本体部と垂直に取り付けられた第１および第２の固定用部材（２３1，２３2）と、
前記カバー本体部の裏面にかつ前記第１および第２の固定用部材の間に取り付けられた第１および第２の遮蔽用部材（２４1，２４2）と、
前記カバー本体部の裏面に該カバー本体部と垂直にかつ前記作業用窓の前記調整板支持部材と反対側の端面側に取り付けられた第３の遮蔽用部材（２４3）とを備え、
前記作業範囲調整板が、前記カバー本体部および前記調整板支持部材によって該カバー本体部の横方向にスライド可能に支持されており、
前記作業範囲調整板が横方向にスライドされることによって前記作業用窓の開口部の大きさが調整される、
ことを特徴とする、請求項１記載の中間配線盤作業範囲区分器。
【請求項３】
前記第１および第２の遮蔽用部材が、該第１の遮蔽用部材の先端部と該第２の遮蔽用部材の先端部との間隔が狭くなるような角度で、前記カバー本体部の裏面に取り付けられていることを特徴とする、請求項２記載の中間配線盤作業範囲区分器。
【請求項４】
前記第１および第２の固定用部材が、前記中間配線盤に前記中間配線盤作業範囲区分器を装着した際に複数本の上側接続端子（２U）を該第１の固定用部材で下方向に押さえるとともに複数本の下側接続端子（２L）を該第２の固定用部材で上方向に押さえるように、前記カバー本体部の裏面に取り付けられていることを特徴とする、請求項２または３記載の中間配線盤作業範囲区分器。
【請求項５】
前記カバー本体部に、前記作業対象接続端子にラッピング接続された通信線を前記中間配線盤から引き出すための配線用切欠き（２１ｂ）が形成されていることを特徴とする、請求項２乃至４いずれかに記載の中間配線盤作業範囲区分器。
【発明の詳細な説明】
【技術分野】
【０００１】
本発明は、中間配線盤（ＩＤＦ：Intermediate Distribution Frame）における通信線のラッピング作業などに用いるのに好適な中間配線盤作業範囲区分器に関する。
【背景技術】
【０００２】
従来、複数組の通信装置間を接続する複数の通信線を自由に配線することができるように、複数本の接続端子（金属ピン）が格子状に配置された中間配線盤が用いられている（たとえば、下記の特許文献１参照）。
【０００３】
このような中間配線盤では、たとえば図６（ａ），（ｂ）に示す中間配線盤１のように、複数本の接続端子２が絶縁板３の表面および裏面に約６．２ｍｍの狭い間隔で等間隔に格子状にそれぞれ設けられているため、作業員は、通信線のラッピング作業を行う際には、作業対象の接続端子２を目視のみで確認するか、作業対象の接続端子２を誤認したりその周辺の既設通信線に影響を与えたりしないように作業対象以外の接続端子２にビニールテープなどで養生（区画・保護）している。
【０００４】
なお、本出願人は、下記の特許文献２において、中間配線盤におけるラッピング作業などを正確にかつ使用回線に支障を生じさせることなく行わせることができるように、非導電性の材質からなるカバー部と、カバー部の裏面に取り付けられた非導電性の材質からなる第１および第２の固定用部材とを具備し、カバー部が正面部、折曲部および側面部からなり、正面部の折曲部側に中間配線盤の接続端子の縦方向の間隔と同じ間隔で端子記号が表示された中間配線盤作業区画表示板を提案している。
【先行技術文献】
【特許文献】
【０００５】
【特許文献１】特開２００８−１７１６６４号公報
【特許文献２】特開２００７−２１４６１７号公報
【発明の概要】
【発明が解決しようとする課題】
【０００６】
しかしながら、作業員の目視確認のみでは、作業員が作業対象の接続端子２を誤認する恐れがあるという問題があり、また、作業対象以外の接続端子２へのビニールテープなどの養生では、作業対象以外の接続端子２に露出部があるため、作業対象の接続端子２へのラッピング作業中にラッピングツールの先端部の金属部分が使用回線の接続端子２（既設通信線が接続された接続端子２）に接触すると、電気的短絡により使用回線に支障が生じる恐れがあるという問題があった。
【０００７】
本発明の目的は、中間配線盤における作業を正確にかつ使用回線に支障を生じさせることなく行わせることができる中間配線盤作業範囲区分器を提供することにある。
【課題を解決するための手段】
【０００８】
本発明の中間配線盤作業範囲区分器は、複数本の接続端子（２）が格子状に配置された中間配線盤（１）の同じ行の隣接する少なくとも２本の作業対象接続端子（２A）に対して作業を行う際に用いられる中間配線盤作業範囲区分器（１０）であって、前記中間配線盤に前記中間配線盤作業範囲区分器を装着した際に前記複数本の接続端子のうち前記少なくとも２本の作業対象接続端子の周辺の該複数本の接続端子よりも少ない本数の接続端子を覆う、かつ、該少なくとも２本の作業対象接続端子を露出するための作業用窓（２１ａ）が設けられたカバー（２０）と、作業を行う前記作業対象接続端子の本数に応じて前記作業用窓を塞いで該作業用窓の開口部の大きさを調整するための作業範囲調整板（３０）とを具備することを特徴とする。
ここで、前記カバーが、前記作業用窓が中央部に設けられた平板状のカバー本体部（２１）と、該カバー本体部の表面に取り付けられた調整板支持部材（２２）と、前記カバー本体部の裏面に該カバー本体部と垂直に取り付けられた第１および第２の固定用部材（２３1，２３2）と、前記カバー本体部の裏面にかつ前記第１および第２の固定用部材の間に取り付けられた第１および第２の遮蔽用部材（２４1，２４2）と、前記カバー本体部の裏面に該カバー本体部と垂直にかつ前記作業用窓の前記調整板支持部材と反対側の端面側に取り付けられた第３の遮蔽用部材（２４3）とを備え、前記作業範囲調整板が、前記カバー本体部および前記調整板支持部材によって該カバー本体部の横方向にスライド可能に支持されており、前記作業範囲調整板が横方向にスライドされることによって前記作業用窓の開口部の大きさが調整されてもよい。
前記第１および第２の遮蔽用部材が、該第１の遮蔽用部材の先端部と該第２の遮蔽用部材の先端部との間隔が狭くなるような角度で、前記カバー本体部の裏面に取り付けられていてもよい。
前記第１および第２の固定用部材が、前記中間配線盤に前記中間配線盤作業範囲区分器を装着した際に複数本の上側接続端子（２U）を該第１の固定用部材で下方向に押さえるとともに複数本の下側接続端子（２L）を該第２の固定用部材で上方向に押さえるように、前記カバー本体部の裏面に取り付けられていてもよい。
前記カバー本体部に、前記作業対象接続端子にラッピング接続された通信線を前記中間配線盤から引き出すための配線用切欠き（２１ｂ）が形成されていてもよい。
【発明の効果】
【０００９】
本発明の中間配線盤作業範囲区分器は、以下に示す効果を奏する。
（１）作業を行う作業対象接続端子の本数に応じて作業範囲調整板によって作業用窓を塞いで作業用窓の開口部の大きさを調整することができるので、作業対象接続端子の誤認を防止することができる。
（２）カバー本体部と第１乃至第３の遮蔽用部材とで作業対象接続端子とその周辺の接続端子とを電気的に絶縁することができるので、たとえば作業対象接続端子へのラッピング作業中にラッピングツールの先端部の金属部分が使用回線の接続端子に接触することを防止することができる。
（３）第１および第２の遮蔽用部材を所定の角度でカバー本体部の裏面に取り付けることにより、作業対象接続端子の周辺に既設通信線が配線されていても容易に中間配線盤作業範囲区分器を中間配線盤に装着することができる。
（４）作業用窓が設けられたカバーと作業範囲調整板とで構成することができるので、中間配線盤の周辺部へも中間配線盤作業範囲区分器を装着することができる。
（５）中間配線盤作業範囲区分器は再利用することができるので、ビニールテープなどのゴミを出さないようにできる。
【図面の簡単な説明】
【００１０】
【図１】本発明の一実施例による中間配線盤作業範囲区分器１０の構成を示す図であり、（ａ）は正面図であり、（ｂ）は（ａ）に示したＡ−Ａ線断面図であり、（ｃ）は（ａ）に示したＢ−Ｂ線断面図であり、（ｄ）は（ａ）に示したＣ−Ｃ線断面図である。
【図２】図１に示したカバー本体部２１の構成を示す図である。
【図３】図１に示した第１および第２の固定用部材２３1，２３2の機能について説明するための図である。
【図４】図１に示した第１および第２の遮蔽用部材２４1，２４2の機能について説明するための図である。
【図５】図１に示した作業範囲区分器１０を用いて中間配線盤１の４本の接続端子２に通信線６をラッピング接続するときの作業手順について説明するための図である。
【図６】中間配線盤１の構成を示す図であり、（ａ）は正面図であり、（ｂ）は一部の側面断面図である。
【発明を実施するための形態】
【００１１】
上記の目的を、少なくとも２本の作業対象接続端子を露出するための作業用窓をカバーに設け、作業を行う作業対象接続端子の本数に応じて作業用窓を作業範囲調整板で塞いで作業用窓の開口部の大きさを調整することにより実現した。
【実施例１】
【００１２】
以下、本発明の中間配線盤作業範囲区分器の実施例について図面を参照して説明する。
なお、以下では、説明の簡単のために、作業対象の接続端子２を「作業対象接続端子２A」と称し、作業対象とはならないが後述する作業用窓２１ａ内に位置する接続端子２を「作業用窓内接続端子２B」と称し、作業対象接続端子２Aおよび作業用窓内接続端子２Bの上下にそれぞれ配置された接続端子２を「上側接続端子２U」および「下側接続端子２L」とそれぞれ称する。
【００１３】
本発明の一実施例による中間配線盤作業範囲区分器１０（以下、「作業範囲区分器１０」と称する。）は、図１（ａ）〜（ｃ）に示すように、絶縁性の透明な素材からなるカバー２０と、絶縁性の透明な素材からなる作業範囲調整板３０とを具備する。
【００１４】
ここで、カバー２０は、平板状のカバー本体部２１と、カバー本体部２１の表面に取り付けられた調整板支持部材２２と、カバー本体部２１の裏面に取り付けられた第１および第２の固定用部材２３1，２３2と、カバー本体部２１の裏面にかつ第１および第２の固定用部材２３1，２３2間に取り付けられた第１および第２の遮蔽用部材２４1，２４2と、カバー本体部２１の裏面にかつ後述する作業用窓２１ａの左端面（調整板支持部材２２と反対側の端面）側に取り付けられた第３の遮蔽用部材２４3とを備える。
【００１５】
カバー本体部２１は、図２に示すように、横８６．８ｍｍ（６．２ｍｍ×１４）および縦５５．８ｍｍ（６．２ｍｍ×９）とされている。これにより、作業範囲区分器１０を中間配線盤１（図６参照）に装着することにより、図３に示すように横１３本×縦９本の合計１１７本の接続端子２をカバー本体部２１で覆うことができる。
【００１６】
また、カバー本体部２１の中央部には、通常一回線あたりの接続端子数は２〜６本である（すなわち、同じ行の隣接する２〜６本の作業対象接続端子２Aに対してラッピング作業などが行われる）ので、図２に一点鎖線で示す作業範囲調整板３０を右方向に最大限スライドさせたときに６本の作業対象接続端子２Aを露出させるための作業用窓２１ａが設けられている。そのため、作業用窓２１ａは横３７．２ｍｍ（６．２ｍｍ×６）および縦５ｍｍ程度とされている。
【００１７】
さらに、カバー本体部２１の左中央部には、作業対象接続端子２Aにラッピング接続された通信線を中間配線盤１から引き出すために、カバー本体部２１の左側面から作業用窓２１ａの左端面に達する配線用切欠き２１ｂが形成されている。これにより、作業員は、作業範囲区分器１０が装着されていても、ラッピング接続した新たな通信線を中間配線盤１から外部に引き出す配線作業を容易に行うことができる。
【００１８】
調整板支持部材２２は、カバー本体部２１の調整板支持部分（図２に斜線で示した部分）と共に作業範囲調整板３０を左右方向（横方向）にスライド可能に支持するためのものである。すなわち、調整板支持部材２２とカバー本体部２１の調整板支持部分との間には作業範囲調整板３０を貫通させるための貫通孔が形成されており、作業範囲調整板３０の裏面がカバー本体部２１の調整板支持部分によって支持されるとともに作業範囲調整板３０の表面、上側面および下側面が調整板支持部材２２によって支持されることにより、作業範囲調整板３０は左右方向にスライド可能とされている。これにより、作業範囲調整板３０を左右方向にスライドさせればラッピング作業を行う作業対象接続端子２Aの本数に応じて作業用窓２１ａを塞いで作業用窓２１ａの開口部の大きさを調整することができるので、作業用窓２１ａによって露出される作業対象接続端子２Aの本数を２〜６本まで変えることができる。
なお、作業範囲調整板３０の表面の左右端には、作業範囲調整板３０を左右方向にスライドさせたときのストッパとして機能する突起板がそれぞれ設けられている。
また、作業範囲調整板３０の裏面の左端には、側面板が設けられている。これにより、作業範囲調整板３０の側面板の左側に位置する作業対象接続端子２Aと作業範囲調整板３０の側面板の右側に位置する作業対象以外の接続端子２（作業用窓内接続端子２Bまたは接続端子２）とを電気的に絶縁することができる。
【００１９】
第１および第２の固定用部材２３1，２３2は、図１（ｂ）に示すように、カバー本体部２１と垂直に取り付けられている。また、第１および第２の固定用部材２３1，２３2は、横３７．２ｍｍ（６．２ｍｍ×６）および縦（カバー本体部２１と垂直な方向の長さ）６ｍｍ程度であり、図３に示すように上側接続端子２Uを第１の固定用部材２３1で下方向に（すなわち、作業対象接続端子２Aおよび作業用窓内接続端子２Bに向けて）押さえるとともに下側接続端子２Lを第２の固定用部材２３2で上方向に（すなわち、作業対象接続端子２Aおよび作業用窓内接続端子２Bに向けて）押さえることにより、カバー２０を中間配線盤１にしっかりと装着するためのものである。
【００２０】
第１および第２の遮蔽用部材２４1，２４2は、横３７．２ｍｍ（６．２ｍｍ×６）および縦２０ｍｍ程度（第１および第２の遮蔽用部材２４1，２４2の先端と絶縁板３との間隔が３ｍｍ程度取れるようにされている。）である。
第１の遮蔽用部材２４1は、作業対象接続端子２Aおよび作業用窓内接続端子２Bと上側接続端子２Uとの間に挿入されて両者を電気的に絶縁し、第２の遮蔽用部材２４2は、作業対象接続端子２Aおよび作業用窓内接続端子２Bと下側接続端子２Lとの間に挿入されて両者を電気的に絶縁する（図４参照）。
【００２１】
また、第１および第２の遮蔽用部材２４1，２４2は、図４に示すように上側および下側接続端子２U，２Lに既設通信線５がラッピング接続されていたり作業対象接続端子２Aおよび作業用窓内接続端子２Bと上側および下側接続端子２U，２Lとの間に既設通信線５が配線されていたりしても、第１および第２の遮蔽用部材２４1，２４2が挿入できるように、第１の遮蔽用部材２４1の先端部と第２の遮蔽用部材２４2の先端部との間隔が狭くなるような角度で、カバー本体部２１に取り付けられている。
【００２２】
第３の遮蔽用部材２４3は、図１（ｃ）に示すようにカバー本体部２１と垂直に取り付けられている。また、第３の遮蔽用部材２４3は、図１（ｄ）に示すように、ラッピング接続した新たな通信線を通すことができるように上面のカバー本体部２１側が切り欠かれている点を除いては、作業範囲調整板３０の側面板と同様の形状を有する。これにより、第３の遮蔽用部材２４3の右側に位置する作業対象接続端子２Aと第３の遮蔽用部材２４3の左側に位置する作業対象以外の接続端子２とを電気的に絶縁することができる。
【００２３】
次に、作業範囲区分器１０を用いて中間配線盤１の４本の接続端子２に通信線６をラッピング接続するときの作業手順について、図５を参照して説明する。
【００２４】
作業員は、図５（ａ）に示すように、作業範囲区分器１０の作業範囲調整板３０を右方向にスライドさせて、作業範囲区分器１０を中間配線盤１に装着させた際に４本の接続端子２（作業対象接続端子２Aとなる。）が作業用窓２１ａによって露出されるようにする。
【００２５】
続いて、作業員は、図５（ｂ）に示すように、４本の作業対象接続端子２Aが作業用窓２１ａによって露出されるように位置合わせして、作業範囲区分器１０を中間配線盤１に装着する（図３参照）。
これにより、６本の上側接続端子２Uが第１の固定用部材２３1で下方向に押さえられるとともに６本の下側接続端子２Lが第２の固定用部材２３2で上方向に押さえられて、カバー２０が中間配線盤１にしっかりと装着される。その結果、作業員は４本の作業対象接続端子２Aを誤認することなく通信線６のラッピング作業を行うことができる。
【００２６】
また、カバー２０の第１の遮蔽用部材２４1が４本の作業対象接続端子２Aおよび２本の作業用窓内接続端子２Bと６本の上側接続端子２Uとの間に挿入され、第２の遮蔽用部材２４2が４本の作業対象接続端子２Aおよび２本の作業用窓内接続端子２Bと６本の下側接続端子２Lとの間に挿入されるとともに、作業範囲調整板３０の側面板が４本の作業対象接続端子２Aのうちの右端の作業対象接続端子２Aとこの作業対象接続端子２Aに隣接する作業用窓内接続端子２Bとの間に挿入されるため、４本の作業対象接続端子２Aの周辺に既設通信線５が接続された接続端子２や作業用窓内接続端子２Bがあっても、作業員は使用回線に支障を生じさせることなくラッピング作業を行うことができる。
【００２７】
続いて、作業員は、図５（ｃ）に示すように、４本の通信線６を４本の作業対象接続端子２Aに順次ラッピング接続するとともに、４本の通信線６を第３の遮蔽用部材２４3の切欠き部およびカバー本体部２１の配線用切欠き２１ｂ（図２参照）を通して中間配線盤１内に配線したのちに中間配線盤１から引き出す。
【００２８】
以上の説明では、中間配線盤１におけるラッピング作業を例として本発明の中間配線盤作業範囲区分器について説明したが、中間配線盤１におけるアンラッピング作業やジャンパ線接続作業においても本発明の中間配線盤作業範囲区分器を用いることにより、中間配線盤１におけるアンラッピング作業やジャンパ線接続作業を正確にかつ使用回線に支障を生じさせることなく行わせることができる。
【符号の説明】
【００２９】
１  中間配線盤
２  接続端子
２A  作業対象接続端子
２B  作業用窓内接続端子
２U  上側接続端子
２L  下側接続端子
３  絶縁板
５  既設通信線
６  通信線
１０  作業範囲区分器
２０  カバー
２１  カバー本体部
２１ａ  作業用窓
２１ｂ  配線用切欠き
２２  調整板支持部材
２３1，２３2  第１および第２の固定用部材
２４1〜２４3  第１乃至第３の遮蔽用部材
３０  作業範囲調整板
【図１】
2010193021.tif 000003
【図２】
2010193021.tif 000004
【図３】
2010193021.tif 000005
【図４】
2010193021.tif 000006
【図５】
2010193021.tif 000007
【図６】
2010193021.tif 000008